(57)【特許請求の範囲】
【請求項１】
識別信号を受信する受信部と、
該受信部が受信した識別信号が音声信号の再生を示す再生識別信号又は方向を示す方向識別信号のいずれであるかを判別する識別信号判別部と、
再生識別信号に対応する音声信号と方向識別信号の受信順序に対応する音声信号を記憶する音声信号記憶部と、
該音声信号記憶部が記憶した音声信号を再生する音声再生部と、
前記受信部が受信した識別信号が再生識別信号であると前記識別信号判別部が判別したとき、当該再生識別信号に対応する音声信号を前記音声信号記憶部から読み出し前記音声再生部が再生する制御をし、前記受信部が先に受信した識別信号と後に受信した識別信号が共に方向識別信号であると前記識別信号判別部が判別したとき、これらの方向識別信号の受信順序に対応する音声信号を前記音声信号記憶部から読み出し前記音声再生部が再生する制御をする再生制御部を備えることを特徴とする音声再生装置。
【請求項２】
識別信号を受信する受信部と、
該受信部が受信した識別信号が基点を設定する基点識別信号または方向を示す方向識別信号のいずれであるかを判別する識別信号判別部と、
基点識別信号に対応する音声信号及び基点識別信号と方向識別信号との組合せに対応する音声信号を記憶する音声信号記憶部と、
該音声信号記憶部が記憶した音声信号を再生する音声再生部と、
前記受信部が先に受信した識別信号が基点識別信号であると判別したとき、当該基点識別信号を受信した位置を基点として設定し当該基点識別信号に対応する音声信号を前記音声信号記憶部から読み出し前記音声再生部が再生する制御をし、前記受信部が基点識別信号に続いて受信した識別信号が方向識別信号であると前記識別信号判別部が判別したとき、これらの基点識別信号と方向識別信号の組合せに対応する音声信号を前記音声信号記憶部から読み出し前記音声再生部が再生する制御をする再生制御部を備えることを特徴とする音声再生装置。
【請求項３】
識別信号を受信する受信部と、
該受信部が受信した識別信号が方向を示す方向識別信号又は基点を設定する基点識別信号のいずれであるかを判別する識別信号判別部と、
基点識別信号と方向識別信号の組合せに対応する音声信号を記憶する音声信号記憶部と、
該音声信号記憶部が記憶した音声信号を再生する音声再生部と、
基点識別信号と方向識別信号の関係を設定する設定部と、
前記受信部が先に受信した識別信号が基点識別信号であると判別したとき、当該基点識別信号を受信した位置を基点として設定する制御をし、前記受信部が基点識別信号に続いて受信した識別信号が方向識別信号であると前記識別信号判別部が判別し当該方向識別信号が先に受信した基点識別信号と関係づけられた方向識別信号として前記設定部に設定されているとき、基点識別信号と当該方向識別信号の組合せに対応する音声信号を前記音声信号記憶部から読み出し前記音声再生部が再生する制御をする再生制御部を備えることを特徴とする音声再生装置。
【請求項４】
識別信号を送信する送信装置と、該送信装置から送信される識別信号を受信する音声再生装置を具備する音声再生システムであって、
前記音声再生装置は、
識別信号を受信する受信部と、
該受信部が受信した識別信号が音声信号の再生を示す再生識別信号又は方向を示す方向識別信号のいずれであるかを判別する識別信号判別部と、
再生識別信号に対応する音声信号と２の方向識別信号の受信順序に対応する音声信号を記憶する音声信号記憶部と、
該音声信号記憶部が記憶した音声信号を再生する音声再生部と、
前記受信部が受信した識別信号が再生識別信号であると前記識別信号判別部が判別したとき、当該再生識別信号に対応する音声信号を前記音声信号記憶部から読み出し前記音声再生部が再生する制御をし、前記受信部が先に受信した識別信号と後に受信した識別信号が共に方向識別信号であると前記識別信号判別部が判別したとき、これらの方向識別信号の受信順序に対応する音声信号を前記音声信号記憶部から読み出し前記音声再生部が再生する制御をする再生制御部を備えることを特徴とする音声再生システム。
【請求項５】
識別信号を送信する送信装置と、該送信装置から送信される識別信号を受信する音声再生装置を具備する音声再生システムであって、
前記音声再生装置は、
識別信号を受信する受信部と、
該受信部が受信した識別信号が基点を設定する基点識別信号または方向を示す方向識別信号のいずれであるかを判別する識別信号判別部と、
基点識別信号に対応する音声信号及び基点識別信号と方向識別信号との組合せに対応する音声信号を記憶する音声信号記憶部と、
該音声信号記憶部が記憶した音声信号を再生する音声再生部と、
前記受信部が先に受信した識別信号が基点識別信号であると判別したとき、当該基点識別信号を受信した位置を基点として設定し当該基点識別信号に対応する音声信号を前記音声信号記憶部から読み出し前記音声再生部が再生する制御をし、前記受信部が基点識別信号に続いて受信した識別信号が方向識別信号であると前記識別信号判別部が判別したとき、これらの基点識別信号と方向識別信号の組合せに対応する音声信号を前記音声信号記憶部から読み出し前記音声再生部が再生する制御をする再生制御部を備えることを特徴とする音声再生システム。
【請求項６】
識別信号を送信する送信装置と、該送信装置から送信される識別信号を受信する音声再生装置を具備する音声再生システムであって、
識別信号を受信する受信部と、
該受信部が受信した識別信号が方向を示す方向識別信号又は基点を設定する基点識別信号のいずれであるかを判別する識別信号判別部と、
基点識別信号と方向識別信号の組合せに対応する音声信号を記憶する音声信号記憶部と、
該音声信号記憶部が記憶した音声信号を再生する音声再生部と、
基点識別信号と方向識別信号の関係を設定する設定部と、
前記受信部が先に受信した識別信号が基点識別信号であると判別したとき、当該基点識別信号を受信した位置を基点として設定する制御をし、前記受信部が基点識別信号に続いて受信した識別信号が方向識別信号であると前記識別信号判別部が判別し当該方向識別信号が先に受信した基点識別信号と関係づけられた方向識別信号として前記設定部に設定されているとき、基点識別信号と当該方向識別信号に対応する音声信号を前記音声信号記憶部から読み出し前記音声再生部が再生する制御をする再生制御部を備えることを特徴とする音声再生システム。
【発明の詳細な説明】
【０００１】
【発明の属する技術分野】
本発明は、送信装置からの識別信号を受信して音声を再生する音声再生装置、及び前記音声再生装置を用いた音声再生システムに関するものである。
【０００２】
【従来の技術】
遊園地、博物館、テーマパーク等において、それぞれの見学施設の案内等の説明を音声出力する携帯型の音声再生装置が用いられる。利用者は、この音声再生装置を携帯し、ヘッドホン、イヤホン等を用いて、所望の見学施設等の前に行って、その見学施設等に対応した案内、説明等の音声を聞くことができる。
【０００３】
携帯型の音声再生装置は、展示物の近くや音声情報が必要な場所に設置した送信装置から送信される識別信号（ＩＤ（ＩＤｅｎｔｉｆｙ）信号）を受信し、予めメモリー等に記憶した複数の音声データのうち受信したＩＤ信号に対応して関係づけた音声情報をスピーカ又はイヤホーンへ再生出力する。
【０００４】
この携帯型の音声再生装置では、海外からの観光客等の日本語の説明が理解できない利用者向けに予め英語等の外国語の説明を記録しておくことにより、利用者は所望の見学施設等に対応した説明の再生番号をキー操作で選択して外国語の説明を聞き理解することができる。
【０００５】
特開平７−２５０８６３号公報には、歩行者が携帯する送信機から間欠的に送信されるＩＤコードとファンクションコードを、予め施設側に設置した、案内情報を発するための受信機が受信し、受信機に備えたスピーカから案内情報の音声を発する、無線案内装置が開示されている。
【０００６】
特開平４−３２８９１号公報には、施設の歩行路に、場所等の識別データを記憶したメモリ部と、メモリ部からデータを送信する送信部を埋設し、前記送信部から送信されるデータを、視覚障害者が携帯する白杖等の先端部に設けた受信部が受信し、誘導案内するための案内音声を選択再生する、視覚障害者誘導案内方法及びその装置が開示されている。
【０００７】
【発明が解決しようとする課題】
視覚障害者が、このような音声案内装置を携帯して歩く場合、現在どの方向に歩いているかが判らなくなる場合が起きる。
【０００８】
特開平７−２５０８６３号公報に開示された「無線案内装置」は、音声により案内・誘導することができるが、複数の音声再生装置を携帯した利用者が同じ場所にいる場合には、個別の利用者に応じた案内・誘導をすることができないという問題点があった。
【０００９】
特開平４−３２８９１号公報に開示された「視覚障害者誘導案内方法及びその装置」は、音声により案内・誘導することができるが、設備を道路に埋設する費用を要する。設備を埋設固定する構成であるため、音声再生装置を携帯した利用者の案内誘導路が限定され、案内誘導路の変更を簡単に行うことができないという問題点があった。
【００１０】
本発明の目的は、受信した識別信号に関係付けて記憶部に予め記憶した音声信号を再生する音声再生装置において、音声再生装置を携帯した利用者が移動する方向に応じて案内音声を再生し、誘導するための音声再生装置及び音声再生システムを提供することにある。本発明の目的は、視覚障害者が使用する場合にも、視覚障害者が移動する方向を案内音声によって認識することができる音声再生装置及び音声再生システムを提供することにある。
【００１１】
【課題を解決するための手段】
本願の請求項１に記載の発明は、音声再生装置において、
識別信号を受信する受信部と、
該受信部が受信した識別信号が音声信号の再生を示す再生識別信号又は方向を示す方向識別信号のいずれであるかを判別する識別信号判別部と、
再生識別信号に対応する音声信号と２の方向識別信号の受信順序に対応する音声信号を記憶する音声信号記憶部と、
該音声信号記憶部が記憶した音声信号を再生する音声再生部と、
前記受信部が受信した識別信号が再生識別信号であると前記識別信号判別部が判別したとき、当該再生識別信号に対応する音声信号を前記音声信号記憶部から読み出し前記音声再生部が再生する制御をし、前記受信部が先に受信した識別信号と後に受信した識別信号が共に方向識別信号であると前記識別信号判別部が判別したとき、これらの方向識別信号の受信順序に対応する音声信号を前記音声信号記憶部から読み出し前記音声再生部が再生する制御をする再生制御部を備えることを特徴とする。
【００１２】
請求項１記載の音声再生装置によれば、利用者の移動に伴う受信順序に応じた識別信号の組み合わせにより、利用者の移動方向に応じた音声を選択して再生することができる。
【００１３】
本願の請求項２に記載の発明は、音声再生装置において、
識別信号を受信する受信部と、
該受信部が受信した識別信号が基点を設定する基点識別信号または方向を示す方向識別信号のいずれであるかを判別する識別信号判別部と、
基点識別信号に対応する音声信号及び基点識別信号と方向識別信号との組合せに対応する音声信号を記憶する音声信号記憶部と、
該音声信号記憶部が記憶した音声信号を再生する音声再生部と、
前記受信部が先に受信した識別信号が基点識別信号であると判別したとき、当該基点識別信号を受信した位置を基点として設定し当該基点識別信号に対応する音声信号を前記音声信号記憶部から読み出し前記音声再生部が再生する制御をし、前記受信部が基点識別信号に続いて受信した識別信号が方向識別信号であると前記識別信号判別部が判別したとき、これらの基点識別信号と方向識別信号の組合せに対応する音声信号を前記音声信号記憶部から読み出し前記音声再生部が再生する制御をする再生制御部を備えることを特徴とする。
【００１４】
請求項２記載の音声再生装置によれば、受信した基点識別信号と方向識別信号の組み合わせにより、利用者の移動方向に応じた音声を選択して再生することができる。
【００１５】
本願の請求項３に記載の発明は、音声再生装置において、
識別信号を受信する受信部と、
該受信部が受信した識別信号が方向を示す方向識別信号又は基点を設定する基点識別信号のいずれであるかを判別する識別信号判別部と、
基点識別信号と方向識別信号の組合せに対応する音声信号を記憶する音声信号記憶部と、
該音声信号記憶部が記憶した音声信号を再生する音声再生部と、
基点識別信号と方向識別信号の関係を設定する設定部と、
前記受信部が先に受信した識別信号が基点識別信号であると判別したとき、当該基点識別信号を受信した位置を基点として設定する制御をし、前記受信部が基点識別信号に続いて受信した識別信号が方向識別信号であると前記識別信号判別部が判別し当該方向識別信号が先に受信した基点識別信号と関係づけられた方向識別信号として前記設定部に設定されているとき、基点識別信号と当該方向識別信号の組合せに対応する音声信号を前記音声信号記憶部から読み出し前記音声再生部が再生する制御をする再生制御部を備えることを特徴とする。
【００１６】
請求項３記載の音声再生装置によれば、受信した基点識別信号により組合せ可能な方向識別信号を制限して、利用者の移動方向に応じた音声を選択して再生することができる。
【００１７】
本願の請求項４記載の発明は、
識別信号を送信する送信装置と、該送信装置から送信される識別信号を受信する音声再生装置を具備する音声再生システムであって、
前記音声再生装置は、
識別信号を受信する受信部と、
該受信部が受信した識別信号が音声信号の再生を示す再生識別信号又は方向を示す方向識別信号のいずれであるかを判別する識別信号判別部と、
再生識別信号に対応する音声信号と２の方向識別信号の受信順序に対応する音声信号を記憶する音声信号記憶部と、
該音声信号記憶部が記憶した音声信号を再生する音声再生部と、
前記受信部が受信した識別信号が再生識別信号であると前記識別信号判別部が判別したとき、当該再生識別信号に対応する音声信号を前記音声信号記憶部から読み出し前記音声再生部が再生する制御をし、前記受信部が先に受信した識別信号と後に受信した識別信号が共に方向識別信号であると前記識別信号判別部が判別したとき、これらの方向識別信号の受信順序に対応する音声信号を前記音声信号記憶部から読み出し前記音声再生部が再生する制御をする再生制御部を備えることを特徴とする。
【００１８】
請求項４記載の音声再生システムによれば、利用者の移動に伴う受信順序に応じた識別信号の組み合わせにより、利用者の移動方向に応じた音声を選択して再生することができる。
【００１９】
本願の請求項５に記載の発明は、
識別信号を送信する送信装置と、該送信装置から送信される識別信号を受信する音声再生装置を具備する音声再生システムであって、
前記音声再生装置は、
識別信号を受信する受信部と、
該受信部が受信した識別信号が基点を設定する基点識別信号または方向を示す方向識別信号のいずれであるかを判別する識別信号判別部と、
基点識別信号に対応する音声信号及び基点識別信号と方向識別信号との組合せに対応する音声信号を記憶する音声信号記憶部と、
該音声信号記憶部が記憶した音声信号を再生する音声再生部と、
前記受信部が先に受信した識別信号が基点識別信号であると判別したとき、当該基点識別信号を受信した位置を基点として設定し当該基点識別信号に対応する音声信号を前記音声信号記憶部から読み出し前記音声再生部が再生する制御をし、前記受信部が基点識別信号に続いて受信した識別信号が方向識別信号であると前記識別信号判別部が判別したとき、これらの基点識別信号と方向識別信号の組合せに対応する音声信号を前記音声信号記憶部から読み出し前記音声再生部が再生する制御をする再生制御部を備えることを特徴とする。
【００２０】
請求項５記載の音声再生システムによれば、受信した基点識別信号と方向識別信号の組合せにより、利用者の移動方向に応じた音声を選択して再生することができる。
【００２１】
本願の請求項６に記載の発明は、
識別信号を送信する送信装置と、該送信装置から送信される識別信号を受信する音声再生装置を具備する音声再生システムであって、
識別信号を受信する受信部と、
該受信部が受信した識別信号が方向を示す方向識別信号又は基点を設定する基点識別信号のいずれであるかを判別する識別信号判別部と、
基点識別信号と方向識別信号の組合せに対応する音声信号を記憶する音声信号記憶部と、
該音声信号記憶部が記憶した音声信号を再生する音声再生部と、
基点識別信号と方向識別信号の関係を設定する設定部と、
前記受信部が先に受信した識別信号が基点識別信号であると判別したとき、当該基点識別信号を受信した位置を基点として設定する制御をし、前記受信部が基点識別信号に続いて受信した識別信号が方向識別信号であると前記識別信号判別部が判別し当該方向識別信号が先に受信した基点識別信号と関係づけられた方向識別信号として前記設定部に設定されているとき、基点識別信号と当該方向識別信号の組合せに対応する音声信号を前記音声信号記憶部から読み出し前記音声再生部が再生する制御をする再生制御部を備えることを特徴とする。
【００２２】
請求項６記載の音声再生システムによれば、受信した基点識別信号により組合せ可能な方向識別信号を制限して、利用者の移動方向に応じた音声を選択して再生することができる。
【００２３】
【発明の実施の形態】
図１に、本発明の音声再生装置及び音声再生システムの一実施例のブロック図を示す。送信装置３２は、設置された案内場所に応じて音声再生装置の再生すべき、案内場所に合う雰囲気のＢＧＭ等の音楽、アナウンス、案内音声等の音声信号を選択指示する識別信号（ＩＤ（ＩＤｅｎｔｉｆｙ）信号）をメモリ１１から送信部１２へ読み出して、送信アンテナ１３を介して送信する。送信装置３２には、送信装置３２各部を動作させるための電力を供給する電源装置３３が接続されている。
【００２４】
音声再生装置３１は、送信装置３２から送信されてくるＩＤ信号を受信アンテナ１で受け、受信部２で受信して、ＩＤ信号を判別するＩＤ判別部３に受信信号を送る。ＩＤ判別部３は、受信したＩＤ信号が、再生を指示する再生用ＩＤ信号であるか、方向を識別するためのＩＤ信号であるかを判別する。
【００２５】
判別されたＩＤ信号は再生制御部４に入力される。再生制御部４は、受信信号が再生用ＩＤ信号であれば、受信したＩＤ信号に関係づけて音声信号記憶部５に記憶されている音楽、アナウンス、案内音声等の音声データを選択し、再生部６で読み出し再生し、増幅回路７で所望の音量に増幅して、ヘッドホン８から再生出力する。
【００２６】
ＩＤ判別部３へ入力されたＩＤ信号が方向を識別するためのＩＤ信号である場合、ＩＤ判別部３に接続して設けた記憶部（メモリ）３Ａに、ＩＤ信号を記憶する。
【００２７】
メモリ３Ａに方向を識別するためのＩＤ信号を記憶した状態で、ＩＤ判別部３へ方向を識別するための他のＩＤ信号が後から入力された場合、ＩＤ判別部３はメモリ３Ａに先に記憶したＩＤ信号と後に入力したＩＤ信号の組合せに関係づけてＩＤ設定部９に記憶・設定した音声データを再生する指示を再生制御部４へ行う。従って、利用者の移動方向に応じて決まる方向を識別するためのＩＤ信号の組合せにより、利用者の移動方向に応じた、アナウンス、案内音声、案内場所の雰囲気に合わせたＢＧＭ、効果音等の音楽等を再生することができる。
【００３６】
方向を識別するためのＩＤ信号がメモリ３Ａに記憶されていない場合であって、音声再生装置３１が方向を識別するためのＩＤ信号を受信した場合には、利用者の移動方向に応じた案内音声の再生は行わない。
【００３７】
ここで、利用者の進行方向に応じた音声を再生するために、少なくとも２以上の方向を識別するためのＩＤ信号の組合せに関係づけて、音声データがＩＤ設定部９に設定されている。合わせて、方向を示すためのＩＤ信号の組合せに関係づけて設定される音声データに対してもＩＤ設定部９に記憶・設定することもできる。
【００３８】
音声信号記憶部５には、ＩＣメモリーカード等の記憶媒体を用いて、交換可能な構成として実施することができる。再生用ＩＤ信号に関係づけて記憶する外国語の案内音声、詳細な案内音声、視覚障害者向け案内音声等を、異なったＩＣメモリカード等の記憶媒体に記憶し、目的等に応じてこれらの記憶媒体を交換して、利用者に提供することができる。
【００３９】
送信装置３２をテーマパーク等の敷地内の複数箇所に設けて、本発明の音声再生システムを構成する。複数の送信装置３２のうち、１つが欠けても、方向に応じた案内音声の提供、又は案内音声による利用者の誘導に支障をきたすので、各送信装置にはバックアップとして補助電源を備えると良い。
【００４０】
図１に示す電源装置３３は、通常の商用電源、充電池等の電源部１６から、送信装置３２に動作電力を供給するものである。電源部１６の他に、バックアップ用の補助電源部１７を設ける。電源部１６及び補助電源部１７はスイッチ１５、停電検出部１４を介して、送信装置３２に動作電力を供給する。
【００４１】
通常は電源部１６から送信装置３２へ動作電力を供給し、停電検出部１４で停電又は電圧低下を検出した場合に、停電検出部１４はスイッチ１５を補助電源部１７側へ切り換え、補助電源部１７から送信装置３２へ動作電力を供給する。補助電源部１７は、充電池、、自家発電装置、他系統の商用電源等を適宜選択して用いることができる。
【００４２】
図２に、本発明の音声再生装置の動作の一実施例をフローチャート図として示す。処理を開始し（Ｓ１）、方向を示すためのＩＤ信号を受信すると（Ｓ２）、メモリ３Ａ内の第１の記憶領域（メモリエリア１）に記憶する。
【００４３】
音声再生装置３１を携帯した利用者が場所を移動して、方向を示すための他のＩＤ信号を受信すると（Ｓ４）、メモリ３Ａ内の第２の記憶領域（メモリエリア２）に記憶する（Ｓ５）。
【００４４】
メモリエリア１に記憶したＩＤ信号とメモリエリア２に記憶したＩＤ信号の組合せに関係づけてＩＤ設定部９に設定された音声データを、再生するように再生制御部４に指示信号を送り、音声再生を行う（Ｓ６）。ここで、メモリエリア２のＩＤ信号をメモリエリア１に記憶する（Ｓ７）。処理動作を終了する場合でなければ（Ｓ８でＮＯ）、Ｓ４からＳ７の処理を繰り返し行う。使用を終えるなど処理動作を終了する場合（Ｓ８でＹＥＳ）、終了する（Ｓ９）。
【００４５】
本実施例の音声再生装置は、前に受信した方向を識別するＩＤ信号と次に受信した方向を識別するＩＤ信号の組み合わせにより、利用者の移動方向に応じた案内等の音声を再生する。図２のＳ７で、利用者の移動に合わせて、受信するＩＤ信号の識別を行っていくために、メモリエリア２に記憶した方向を識別するＩＤ信号をメモリエリア１にコピーし、次に受信した他の方向を識別するＩＤ信号をメモリエリア２に記憶する手順としたが、メモリエリア２とメモリエリア１とで新しく受信した他の方向を識別するＩＤ信号を記憶するエリアを交互に切り替える構成として実施してもよい。この場合、メモリエリア２からメモリエリア１へＩＤ信号をコピーする処理は不要となる。
【００４６】
図３は、本発明の音声再生システムの一実施例を示す概略図である。テーマパーク等の設備に対応した案内音声を再生するものであり、各分岐方向の通路に、ＩＤ送信機４２、４３、４４を各々設ける。ここで、図に示す円４２Ａ、４３Ａ、４４Ａは、各送信機４２、４３、４４の送信エリアを示す。
【００４７】
今、音声再生装置を携帯した利用者が、敷地内の通路に設置されたＩＤ送信機４２の送信エリア４２Ａの範囲内にいるとする。送信エリア４２Ａからは、矢印Ｒ２に示す方向に進む場合、矢印Ｒ３に示す方向に進む場合がある。矢印Ｒ２の方向に進むと、ＩＤ送信機４３の送信エリア４３Ａに入る。矢印Ｒ３の方向に進むと、ＩＤ送信機４４の送信エリア４４Ａに入る。
【００４８】
ＩＤ送信エリア４２Ａ内にいる利用者が、矢印Ｒ２の方向に進めば、ＩＤ送信機４３から送信されるＩＤ送信エリア４３Ａに入り、音声再生装置３１は、ＩＤ送信機４２のＩＤ信号及びＩＤ送信機４３のＩＤ信号の組合せにより、矢印Ｒ２の進行方向に沿った案内音声等の音声データを再生する。
【００４９】
反対に、ＩＤ送信エリア４３Ａ内にいる利用者が、矢印Ｒ１の方向に進めば、ＩＤ送信機４２から送信されるＩＤ送信エリア４２Ａに入り、音声再生装置３１は、先に入ったＩＤ送信機４３のＩＤ信号と後に入ったＩＤ送信機４２のＩＤ信号の組合せにより、矢印Ｒ１の進行方向に沿った案内音声等の音声データを再生する。このように、方向を示すためのＩＤ信号を受信する順番により、同じ経路であっても、方向を区別して、それぞれの方向に応じた音声を再生することができる。
【００５０】
ＩＤ送信エリア４２Ａ内の利用者が、矢印Ｒ３の方向に進めば、ＩＤ送信機４４から送信されるＩＤ送信エリア４４Ａに入り、音声再生装置３１は、ＩＤ送信機４４のＩＤ信号を受信して、先に受信したＩＤ送信機４２のＩＤ信号と後に受信したＩＤ送信機４４のＩＤ信号の組合せにより、矢印Ｒ３の進行方向に沿った案内音声等の音声データを再生する。
【００５１】
ＩＤ送信エリア４３Ａ内の利用者が、矢印Ｒ６の方向に進めば、ＩＤ送信機４４から送信されるＩＤ送信エリア４４Ａに入り、音声再生装置３１は、ＩＤ送信機４４のＩＤ信号を受信して、先に受信したＩＤ送信機４３のＩＤ信号と後に受信したＩＤ送信機４４のＩＤ信号の組合せにより、矢印Ｒ６の進行方向に沿った案内音声等の音声データを再生する。
【００５２】
ＩＤ送信エリア４４Ａ内の利用者が、矢印Ｒ４又はＲ５の方向に進めば、ＩＤ送信機４２から送信されるＩＤ送信エリア４２Ａ又はＩＤ送信機４３から送信されるＩＤ送信エリア４３Ａに入り、音声再生装置３１は、ＩＤ送信機４２又はＩＤ送信機４３のＩＤ信号を受信して、先に受信したＩＤ送信機４４のＩＤ信号と後に受信したＩＤ送信機４２又はＩＤ送信機４３のＩＤ信号の組合せにより、矢印Ｒ４又はＲ５の進行方向に沿った案内音声等の音声データを再生する。
【００５３】
図３に示す実施例を複数の通路に適用して、通路毎に方向を識別するためのＩＤ送信機を設置してＩＤ送信エリアを設定することにより、通路の進行方向に沿った案内音声を音声案内装置を携帯した利用者に提供することができる。
【００５４】
利用者の進行方向に沿って、その進行方向の先にあるものや、途中の目標物についての案内説明を音声再生装置３１に予め設定して提供することにより、利用者を所望の方向へ誘導するように案内することができる。
【００５５】
利用者が音声再生装置３１を携帯してテーマパーク等の施設内を歩行している場合に、進行方向に沿った案内音声を得ることができるので、利用者自身がどの方向へ向かって歩いているかを案内音声によって知ることができる。
【００５６】
図４に、本発明の音声再生装置及び音声再生システムの他の実施例のブロック図を示す。送信装置３２は、設置された案内場所に応じて音声再生装置３１ａの再生すべき、音楽、アナウンス、案内音声等の音声信号を選択指示する識別信号（ＩＤ信号）をメモリ１１から送信部１２へ読み出して、送信アンテナ１３を介して送信する。
【００５７】
音声再生装置３１ａの利用者が移動する方向を識別するための基準となる位置情報（基点情報）として用いる基点識別（ＩＤ（ＩＤｅｎｔｉｆｙ））信号、又は基点情報に関係づけて方向情報を示す方向識別（ＩＤ）信号として音声再生装置３１ａに設定されたＩＤ信号を送信する送信装置３２は、基点ＩＤ信号、又は方向ＩＤ信号を、メモリ１１から送信部１２へ読み出して、送信アンテナ１３を介して送信する。
【００５８】
音声再生装置３１ａは、送信装置３２から送信されてくるＩＤ信号を受信アンテナ１で受け、受信部２で受信して、ＩＤ信号を判別するＩＤ判別部３に受信信号を送る。ＩＤ判別部３は、受信したＩＤ信号が、再生を指示する再生用ＩＤ信号であるか、基点ＩＤ信号であるか、方向ＩＤ信号であるかを判別する。
【００５９】
再生制御部４は、受信信号が再生用ＩＤ信号であれば、受信したＩＤ信号に関係づけて音声信号記憶部５に記憶されている音楽、アナウンス、案内音声等の音声データを選択し、再生部６で読み出し再生し、増幅回路７で所望の音量に増幅して、ヘッドホン８から再生出力する。
【００６０】
ＩＤ判別部３において判別されたＩＤ信号が基点ＩＤ信号である場合、ＩＤ判別部３に接続して設けた記憶部（メモリ）３Ｂに、基点ＩＤ信号を記憶する。
【００６１】
再生制御部４へ入力されたＩＤ信号が方向ＩＤ信号である場合、ＩＤ判別部３はメモリ３Ｂに記憶した基点ＩＤ信号を読み出し、この方向ＩＤ信号と基点ＩＤ信号の組合せに関係づけてＩＤ設定部９に記憶・設定した音声データを再生する指示を再生制御部４へ行う。従って、基点ＩＤ信号と方向ＩＤ信号の組合せで決まる方向に応じた、アナウンス、案内音声、音楽等を再生することができる。
【００６２】
基点ＩＤ信号がメモリ３Ｂに記憶されていない場合であって、音声再生装置３１ａが方向ＩＤ信号を受信した場合には、利用者の移動方向に応じた案内音声の再生は行わない。
【００６３】
ここで、基点ＩＤ信号の設定は、方向ＩＤ信号との組合せで音声を再生するためであるが、合わせて、基点ＩＤ信号に関係づけて再生する再生用ＩＤ信号のデータをＩＤ設定部９に予め記憶・設定することもできる。その場合、基点ＩＤ信号を受信すると、基点の場所から進むことのできる各方向の案内を再生する。利用者は、自分が進むことができる方向には何があるか等の案内音声を聞いてから、進行方向を選ぶことができる。
【００６４】
音声信号記憶部５には、ＩＣメモリーカード等の記憶媒体を用いて、交換可能な構成として実施することができる。再生用ＩＤ信号に関係づけて記憶する外国語の案内音声、詳細な案内音声、視覚障害者向けの案内音声等を、異なったＩＣメモリーカード等の記憶媒体に記憶し、目的等に応じてこれらの記憶媒体を交換して、利用者に提供することができる。
【００６５】
送信装置３２をテーマパーク等の敷地内の複数箇所に設けて、本発明の音声再生システムを実施する。複数の送信装置３２のうち、１つが欠けても、方向に応じた案内音声の提供、又は案内音声による利用者の誘導に支障をきたすので、各送信装置にはバックアップとして補助電源を備えると良い。
【００６６】
図４に示す電源装置３３は、通常の商用電源、充電池等の電源部１６から、送信装置３２に動作電力を供給するものである。電源部１６の他に、バックアップ用の補助電源部１７を設ける。電源部１６及び補助電源部１７はスイッチ１５、停電検出部１４を介して、送信装置３２に動作電力を供給する。
【００６７】
通常は電源部１６から送信装置３２へ動作電力を供給し、停電検出部１４で停電又は電圧低下を検出した場合に、停電検出部１４はスイッチ１５を補助電源部１７側へ切り換え、補助電源部１７から送信装置３２へ動作電力を供給する。補助電源部１７は、充電池、、自家発電装置、他系統の商用電源等を適宜選択して用いることができる。
【００６８】
図５に、本発明の音声再生装置及び音声再生システムの他の実施例のブロック図を示す。送信装置３２は、設置された案内場所に応じて音声再生装置の再生すべき、音楽、アナウンス、案内音声等の音声信号を選択指示するＩＤ信号をメモリ１１から送信部１２へ読み出して、送信アンテナ１３を介して送信する。
【００６９】
音声再生装置３１ｂの利用者が移動する方向を識別するための基準となる位置情報（基点情報）として用いる基点識別（ＩＤ）信号、又は基点情報に関係づけて方向情報を示す方向識別（ＩＤ）信号として音声再生装置に設定されたＩＤ信号を送信する送信装置３２は、基点ＩＤ信号、又は方向ＩＤ信号を、メモリ１１から送信部１２へ読み出して、送信アンテナ１３を介して送信する。
【００７０】
音声再生装置３１ｂは、送信装置３２から送信されてくるＩＤ信号を受信アンテナ１で受け、受信部２で受信して、ＩＤ信号を判別するＩＤ判別部３に受信信号を送る。ＩＤ判別部３には、ＩＤ設定部９、及び受信した基点ＩＤ信号に対して関係づける方向ＩＤ信号を設定・記憶する規定用ＩＤ設定部１０が接続され、基点ＩＤ信号に続いて受信した方向ＩＤ信号が先に受信した基点ＩＤ信号に関係づけられた方向ＩＤ信号か否かを判別する。
【００７１】
ＩＤ判別部３は、受信したＩＤ信号が、再生を指示する再生用ＩＤ信号であるか、基点ＩＤ信号であるか、方向ＩＤ信号であるかを判別する。
【００７２】
ＩＤ判別部３で判別されたＩＤ信号の種類は再生制御部４に通知される。再生制御部４は、受信信号が再生用ＩＤ信号であれば、受信したＩＤ信号に関係づけて音声信号記憶部５に記憶されている音楽、アナウンス、案内音声等の音声データを選択し、再生部６で読み出し再生し、増幅回路７で所望の音量に増幅して、ヘッドホン８から再生出力する。
【００７３】
ＩＤ判別部３で判別されたＩＤ信号が基点ＩＤ信号である場合、以後、再生制御部４が音声信号記憶部５に出力再生させる音声データは、この基点ＩＤ信号に基づいて制限される。即ち、ここで受信した基点ＩＤ信号に関係づけて規定用ＩＤ設定部１０に設定された方向ＩＤ信号以外の方向ＩＤ信号を受信した場合、音声データの再生指示は再生制御部４から出力されない。従って音声信号記憶部５から音声データは出力されない。基点ＩＤ信号による方向ＩＤ信号の制限を解除するまでの間、受信した基点ＩＤ信号と関係づけて規定用ＩＤ設定部１０に設定した方向ＩＤ信号を受信したとき、ＩＤ設定部９に設定されたこの方向ＩＤ信号に対応する音声データだけが音声信号記憶部５から再生部６を介して再生出力される。
【００７４】
ＩＤ判別部３で判別されたＩＤ信号が方向ＩＤ信号である場合、ＩＤ判別部３は、当該方向ＩＤ信号が先に受信した基点ＩＤ信号に関係づけて規定用ＩＤ設定部１０に設定された方向ＩＤ信号であれば、この方向ＩＤ信号に関係づけてＩＤ設定部９に記憶・設定した音声データを再生する指示を再生制御部４へ行う。従って、基点ＩＤ信号と方向ＩＤ信号によって決まる方向に応じた、アナウンス、案内音声、音楽等を再生することができる。
【００７５】
基点ＩＤ信号を受信する前であって、音声再生装置３１ｂが方向ＩＤ信号を受信した場合には、利用者の移動方向に応じた案内音声の再生を行わない。方向ＩＤ信号に対応した音声データの再生は、まず、基点ＩＤ信号を受信することによって、音声データの再生が行われるよう設定され、以後、ＩＤ設定部９にこの基点ＩＤ信号に関係づけて設定した方向ＩＤ信号を受信することにより音声再生を行うことができる。
【００７６】
ここで、基点ＩＤ信号の設定は、方向ＩＤ信号との関係づけをする設定をして、音声を再生するためであるが、合わせて、基点ＩＤ信号に関係づけて再生する再生用ＩＤ信号のデータをＩＤ設定部９に予め記憶・設定することもできる。その場合、基点ＩＤ信号を受信すると、基点の場所から進むことのできる各方向の案内を再生する。利用者は、自分が進むことができる方向には何があるか等の案内音声を聞いてから、進行方向を選ぶことができる。
【００７７】
基点ＩＤ信号により再生規定された状態において、他の基点ＩＤ信号を新たに受信した場合には、その新たに受信した基点ＩＤ信号に関係づけて規定用ＩＤ設定部１０に設定・記憶しなおされる。
【００７８】
基点ＩＤ信号により再生規定された状態において、規定ＩＤ設定部１０に設定・記憶された規定を解除するための解除用ＩＤ信号が、出口等に設けた送信装置３２から送信されて音声再生装置３１ｂに受信された場合、以後、音声再生装置３１ｂの音声信号記憶部５から再生部６へ出力再生する音声データの再生制御部４による規定の設定は解除される。
【００７９】
基点ＩＤ信号により再生規定された状態でない場合に、送信装置３２から送信された規定を解除するための解除用ＩＤ信号を受信した場合には、規定も規定の解除も行われず、音声再生装置３１ｂの動作状態は変わらない。
【００８０】
音声信号記憶部５には、ＩＣメモリーカード等の記憶媒体を用いて、交換可能な構成として実施することができる。再生用ＩＤ信号に関係づけて記憶する外国語の案内音声、詳細な案内音声、視覚障害者向け案内音声等を、異なったＩＣメモリーカード等の記憶媒体に記憶し、目的等に応じてこれらの記憶媒体を交換して、利用者に提供することができる。
【００８１】
送信装置３２をテーマパーク等の敷地内の複数箇所に設けて、本発明の音声再生システムを実施する。複数の送信装置３２のうち、１つが欠けても、方向に応じた案内音声の提供、又は案内音声による利用者の誘導に支障をきたすので、各送信装置にはバックアップとして補助電源を備えると良い。
【００８２】
図４に示す電源装置３３は、通常の商用電源、充電池等の電源部１６から、送信装置３２に動作電力を供給するものである。電源部１６の他に、バックアップ用の補助電源部１７を設ける。電源部１６及び補助電源部１７はスイッチ１５、停電検出部１４を介して、送信装置３２に動作電力を供給する。
【００８３】
通常は電源部１６から送信装置３２へ動作電力を供給し、停電検出部１４で停電又は電圧低下を検出した場合に、停電検出部１４はスイッチ１５を補助電源部１７側へ切り換え、補助電源部１７から送信装置３２へ動作電力を供給する。補助電源部１７は、充電池、、自家発電装置、他系統の商用電源等を適宜選択して用いることができる。
【００８４】
本発明の実施例の音声再生装置及び音声再生システムによれば、規定した以外のＩＤ信号が混信等により受信入力した場合であっても、誤動作、誤再生を防止することができる。
【００８５】
図６に、本発明の音声再生装置の動作の他の実施例をフローチャート図として示す。処理を開始し（ＳＴ１）、ＩＤ信号を受信すると（ＳＴ２）、受信したＩＤ信号をＩＤ判別部３で判別し（ＳＴ３）、基点ＩＤ信号であれば（ＳＴ３でＹＥＳ）、方向ＩＤ信号を有効とする動作状態になり、受信待機する（ＳＴ４）。
【００８６】
方向ＩＤ信号を受信すると（ＳＴ５）、方向ＩＤ信号に関係づけてＩＤ設定部９に設定された音声データを、再生するように再生制御部４に指示信号を送り、音声再生を行う（ＳＴ６）。処理動作を続行する場合は（ＳＴ７でＹＥＳ）、ＳＴ４の受信待機に戻って処理を繰り返し行う。処理動作を続行しない場合は（ＳＴ７でＮＯ）、終了する（ＳＴ８）。
【００８７】
図７は、本発明の音声再生システムの他の実施例を示す概略図である。テーマパーク等の設備に対応した案内音声を再生するものであり、通路の分岐中央に基点ＩＤ送信機５１を設け、各分岐方向の通路に、方向ＩＤ送信機５２、５３、５４を各々設ける。ここで、図に示す円５１Ａ、５２Ａ、５３Ａ、５４Ａは、各送信機５１、５２、５３、５４の送信エリアを示す。
【００８８】
今、音声再生装置３１ａ又は３１ｂを携帯した利用者が、敷地内の通路の中央に設置された基点ＩＤ送信機５１の送信エリア５１Ａの範囲内にいるとする。基点ＩＤ信号の送信エリア５１Ａからの通路は、矢印Ｒ１１、Ｒ１２、Ｒ１３に示す３方向に分岐している。矢印Ｒ１１の方向に進むと、方向ＩＤ送信機５２の送信エリア５２Ａに入る。矢印Ｒ１２の方向に進むと、方向ＩＤ送信機５３の送信エリア５３Ａに入る。矢印Ｒ１３の方向に進むと、方向ＩＤ送信機５４の送信エリア５４Ａに入る。
【００８９】
利用者が、入り口を入って最初に到達する基点ＩＤ送信エリアが、基点ＩＤ送信エリア５１Ａである場合、方向ＩＤ送信エリア５２Ａ、５３Ａ、又は５４Ａのいずれかを通るが、これらの方向ＩＤ送信機５２、５３又は５４の方向ＩＤ信号による音声再生装置３１ａ又は３１ｂの再生動作は行われない。利用者が、基点ＩＤ送信エリア５１Ａに入ると、音声再生装置３１ａ又は３１ｂは、基点ＩＤ信号を受信する。
【００９０】
基点ＩＤ送信エリア５１Ａに入った利用者が、次の方向へ向かって進む場合、矢印Ｒ１１の方向に進めば、方向ＩＤ送信機５２から送信される方向ＩＤ送信エリア５２Ａに入り、音声再生装置３１ａ又は３１ｂは、方向ＩＤ送信機５２の方向ＩＤ信号を受信して、先に受信した基点ＩＤ信号とこの方向ＩＤ信号により、矢印Ｒ１１の進行方向に沿った案内音声等の音声データを再生する。
【００９１】
基点ＩＤ送信エリア５１Ａに入った利用者が、矢印Ｒ１２又はＲ１３の方向に進めば、矢印Ｒ１１の場合と同様に、方向ＩＤ送信機５３又は５４から送信される方向ＩＤ送信エリア５３Ａ又は５４Ａに入り、音声再生装置３１ａ又は３１ｂは、方向ＩＤ送信機５３又は５４の方向ＩＤ信号を受信して、先に受信した基点ＩＤ信号とこの方向ＩＤ信号により、矢印Ｒ１２又はＲ１３の進行方向に沿った案内音声等の音声データを再生する。
【００９２】
図７に示す実施例を複数の通路の分岐点に適用して、通路の分岐点毎に基点ＩＤ送信機を設置して基点ＩＤ送信エリアを設定し、分岐点から通路へ進んだ先に方向ＩＤ送信機を設置して方向ＩＤ送信エリアを設定することにより、通路の進行方向に沿った案内音声を音声案内装置を携帯した利用者に提供することができる。
【００９３】
音声再生装置３１ａ又は３１ｂが、ある一つの基点ＩＤ信号を受信すると、他の基点ＩＤ信号を受信するまで、前の基点ＩＤ信号が記憶されその基点ＩＤ信号を方向の基準とする方向ＩＤ信号検出の動作状態が維持される。利用者が、通路分岐点に入り、他の基点ＩＤ信号を音声再生装置３１ａ又は３１ｂが受信すると、音声再生装置は、新しく受信した基点ＩＤ信号を記憶し、新しい基点ＩＤ信号を方向の基準とした方向ＩＤ信号検出の動作状態に切り替える。
【００９４】
利用者の進行方向に沿って、その進行方向の先にあるものや、途中の目標物についての案内説明を音声案内装置に予め設定して提供することにより、利用者を所望の方向へ誘導するように案内することができる。
【００９５】
利用者が音声案内装置を携帯してテーマパーク等の施設内を歩行している場合に、進行方向に沿った案内音声を得ることができるので、利用者自身がどの方向へ向かって歩いているかを案内音声によって知ることができる。
【００９６】
本発明の実施例の音声再生装置及び音声再生システムによれば、利用者の進行方向に応じた案内等の音声を提供することができる。本発明の実施例の音声再生装置及び音声再生システムによれば、利用者の所望の進行方向に誘導する案内等の音声を提供することができる。
【００９７】
本発明の実施例の音声再生装置及び音声再生システムによれば、受信した識別信号に関係付けて記憶部に予め記憶した音声信号を再生する音声再生装置において、利用者が移動する方向に応じて案内音声を再生し誘導することができる。本発明の実施例の音声再生装置及び音声再生システムによれば、視覚障害者が使用する場合にも、視覚障害者が移動する方向を案内音声によって認識することができる。
【００９８】
【発明の効果】
本発明によれば、音声再生装置及び音声再生システムの音声を、利用者の移動方向に応じて、再生することができる。本発明によれば、音声再生装置及び音声再生システムの混信による誤再生を防止することができる。
【図面の簡単な説明】
【図１】本発明の音声再生装置及び音声再生システムの一実施例のブロック図である。
【図２】本発明の音声再生装置の動作の一実施例を示すフローチャート図である。
【図３】本発明の音声再生システムの一実施例を示す概略図である。
【図４】本発明の音声再生装置及び音声再生システムの他の実施例のブロック図である。
【図５】本発明の音声再生装置及び音声再生システムの他の実施例のブロック図である。
【図６】本発明の音声再生装置の動作の他の実施例を示すフローチャート図である。
【図７】本発明の音声再生システムの他の実施例を示す概略図である。
【符号の説明】
１  ・・・  受信アンテナ
２  ・・・  受信部
３  ・・・  ＩＤ判別部
３Ａ、３Ｂ  ・・・  記憶部（メモリ）
４  ・・・  再生制御部
５  ・・・  音声信号記憶部
６  ・・・  再生部
７  ・・・  増幅回路
８  ・・・  ヘッドホン
９  ・・・  ＩＤ設定部
１０  ・・・  規定用ＩＤ設定部
１１  ・・・  記憶部（メモリ）
１２  ・・・  送信部
１３  ・・・  送信アンテナ
１４  ・・・  停電検出部
１５  ・・・  スイッチ
１６  ・・・  電源部
１７  ・・・  補助電源部
３１、３１ａ、３１ｂ  ・・・  音声再生装置
３２  ・・・  送信装置
３３  ・・・  電源装置
【図１】
0003548678.tif 000002
【図２】
0003548678.tif 000003
【図３】
0003548678.tif 000004
【図４】
0003548678.tif 000005
【図５】
0003548678.tif 000006
【図６】
0003548678.tif 000007
【図７】
0003548678.tif 000008